(57)【要約】【課題】  磁気回路が取り付けられる側の部分の特に高い剛性を確保してフレームの全体の剛性を高くしてスピーカー装置の安定な動作状態を確保する。【解決手段】  音声の出力時に振動される振動板と、マグネットとヨークを有する磁気回路と、振動板のエッジが取り付けられる外側環状部と磁気回路が取り付けられる内側環状部とを有するフレームとを備え、フレームに外側環状部と内側環状部を連結する少なくとも一つの脚部が設けられ、脚部は、外側環状部に連続された外側端部と、内側環状部に連続された内側端部と、外側端部と内側端部の間に位置され外側端部と内側端部より幅が小さくされた幅狭部とを有し、幅狭部には外側端部と内側端部の中間部分に最も幅が小さくされた最狭部が設けられ、最狭部が外側環状部と内側環状部の中央より外側環状部側に位置され、幅狭部における最狭部を含む幅方向における両側縁が曲線状又は直線状に形成された。【選択図】  図１
2017050702.tif 000002
【特許請求の範囲】
【請求項１】
音声の出力時に振動される振動板と、
マグネットとヨークを有する磁気回路と、
前記振動板のエッジが取り付けられる外側環状部と前記磁気回路が取り付けられる内側環状部とを有するフレームとを備え、
前記フレームに前記外側環状部と前記内側環状部を連結する少なくとも一つの脚部が設けられ、
前記脚部は、前記外側環状部に連続された外側端部と、前記内側環状部に連続された内側端部と、前記外側端部と前記内側端部の間に位置され前記外側端部と前記内側端部より幅が小さくされた幅狭部とを有し、
前記幅狭部には前記外側端部と前記内側端部の中間部分に最も幅が小さくされた最狭部が設けられ、
前記最狭部が前記外側環状部と前記内側環状部の中央より前記外側環状部側に位置され、
前記幅狭部における前記最狭部を含む幅方向における両側縁が曲線状又は直線状に形成された
スピーカー装置。
【請求項２】
前記脚部が前記フレームの周方向において複数離隔して設けられた
請求項１に記載のスピーカー装置。
【請求項３】
前記脚部が等間隔の位置に設けられた
請求項２に記載のスピーカー装置。
【請求項４】
前記脚部に貫通孔が形成された
請求項１に記載のスピーカー装置。
【請求項５】
前記貫通孔の開口縁が曲線状又は直線状に形成された
請求項４に記載のスピーカー装置。
【請求項６】
前記貫通孔が前記最狭部より前記内側環状部側に形成された
請求項４に記載のスピーカー装置。
【請求項７】
前記貫通孔が前記最狭部を挟んで前記外側環状部側と前記内側環状部側にそれぞれ形成された
請求項４に記載のスピーカー装置。
【請求項８】
前記脚部は前記最狭部から前記外側環状部に近付くに従って漸次幅が大きくなる形状に形成された
請求項１に記載のスピーカー装置。
【請求項９】
前記脚部は前記最狭部から前記内側環状部に近付くに従って漸次幅が大きくなる形状に形成された
請求項１に記載のスピーカー装置。
【請求項１０】
前記フレームをスピーカー筐体にネジ止めによって取り付けるためのネジ挿通孔が前記外側環状部に形成され、
前記ネジ挿通孔と前記脚部が前記フレームの周方向における同じ位置に形成された
請求項１に記載のスピーカー装置。
【請求項１１】
前記フレームをスピーカー筐体にネジ止めによって取り付けるための複数のネジ挿通孔が前記外側環状部の周方向における離隔した位置に形成され、
前記複数のネジ挿通孔と前記複数の脚部とがそれぞれ前記フレームの周方向における同じ位置に形成された
請求項２に記載のスピーカー装置。
【請求項１２】
前記脚部がそれぞれ前記幅狭部を有する第１の部分と第２の部分から成り、
前記第１の部分の前記幅狭部と前記第２の部分の前記幅狭部とが前記フレームの周方向において離隔して設けられた
請求項１に記載のスピーカー装置。
【請求項１３】
前記第１の部分と前記第２の部分の間に通孔が形成された
請求項１２に記載のスピーカー装置。
【請求項１４】
前記通孔の開口縁が曲線状又は直線状に形成された
請求項１３に記載のスピーカー装置。
【請求項１５】
前記第１の部分の少なくとも一部と前記第２の部分の少なくとも一部とが周方向において連続して設けられた
請求項１２に記載のスピーカー装置。
【請求項１６】
音声の出力時に振動される振動板のエッジが取り付けられる外側環状部と、
マグネットとヨークを有する磁気回路が取り付けられる内側環状部と、
前記外側環状部と前記内側環状部を連結する少なくとも一つの脚部とを備え、
前記脚部は、前記外側環状部に連続された外側端部と、前記内側環状部に連続された内側端部と、前記外側端部と前記内側端部の間に位置され前記外側端部と前記内側端部より幅が小さくされた幅狭部とを有し、
前記幅狭部には前記外側端部と前記内側端部の中間部分に最も幅が小さくされた最狭部が設けられ、
前記最狭部が前記外側環状部と前記内側環状部の中央より前記外側環状部側に位置され、
前記幅狭部における前記最狭部を含む幅方向における両側縁が曲線状又は直線状に形成された
スピーカー装置のフレーム。
【発明の詳細な説明】
【技術分野】
【０００１】
本技術は、磁気回路の駆動によって振動板が振動されて音声の出力が行われるスピーカー装置及びスピーカー装置のフレームについての技術分野に関する。
【先行技術文献】
【特許文献】
【０００２】
【特許文献１】特開２０１２−４４５１７号公報
【背景技術】
【０００３】
アンプによって増幅された音声を出力するスピーカー装置がある。このようなスピーカー装置には、例えば、マグネットとヨークとコイルを有する磁気回路により振動板が振動されるように構成されたものがある。
【０００４】
このようなスピーカー装置には、骨格となるフレームに振動板や磁気回路が取り付けられており、フレームは振動板の振動に耐え得る必要があると共に重量の大きい磁気回路を保持するために金属材料等によって形成され剛性が高くされている（特許文献１参照）。フレームの剛性が高くされることにより、スピーカー装置の安定な動作状態を確保することができる。
【０００５】
特許文献１に記載されたスピーカー装置にあっては、フレームに径の大きな外側環状部と径の小さな内側環状部とを連結する複数の脚部が周方向において離隔して設けられている。フレームにおける複数の脚部の間はそれぞれ開孔として形成されている。開孔が形成されることによりフレームの軽量化が図られると共に開孔を介してフレームの内外を空気が流動可能とされ、振動板が円滑に振動されて音質の向上が図られる。
【０００６】
上記のように、フレームはスピーカー装置の骨格を構成するために高い剛性が確保される必要があり、特許文献１においては、脚部の両側縁に立壁状のリブが設けられ、フレームの剛性が高められている。
【発明の概要】
【発明が解決しようとする課題】
【０００７】
ところで、上記のようにフレームは高い剛性が確保される必要があるが、マグネットやヨーク等によって構成されている重量の大きい磁気回路が取り付けられる側の部分は、特に、高い剛性が必要とされる。
【０００８】
そこで、本技術スピーカー装置及びスピーカー装置のフレームは、上記した問題点を克服し、フレームの全体の剛性を高くしフレーム全体でバランスよく荷重を分散させてスピーカー装置の安定な動作状態を確保することを課題とする。
【課題を解決するための手段】
【０００９】
第１に、本技術に係るスピーカー装置は、音声の出力時に振動される振動板と、マグネットとヨークを有する磁気回路と、前記振動板のエッジが取り付けられる外側環状部と前記磁気回路が取り付けられる内側環状部とを有するフレームとを備え、前記フレームに前記外側環状部と前記内側環状部を連結する少なくとも一つの脚部が設けられ、前記脚部は、前記外側環状部に連続された外側端部と、前記内側環状部に連続された内側端部と、前記外側端部と前記内側端部の間に位置され前記外側端部と前記内側端部より幅が小さくされた幅狭部とを有し、前記幅狭部には前記外側端部と前記内側端部の中間部分に最も幅が小さくされた最狭部が設けられ、前記最狭部が前記外側環状部と前記内側環状部の中央より前記外側環状部側に位置され、前記幅狭部における前記最狭部を含む幅方向における両側縁が曲線状又は直線状に形成されたものである。
【００１０】
これにより、両側縁が曲線状又は直線状に形成され外側環状部側に位置された最狭部を有する脚部によって外側環状部と内側環状部が連結される。
【００１１】
第２に、上記したスピーカー装置においては、前記脚部が前記フレームの周方向において複数離隔して設けられることが望ましい。
【００１２】
これにより、周方向における複数の位置で外側環状部と内側環状部が脚部によって連結される。
【００１３】
第３に、上記したスピーカー装置においては、前記脚部が等間隔の位置に設けられることが望ましい。
【００１４】
これにより、周方向における等間隔の位置で外側環状部と内側環状部が脚部によって連結される。
【００１５】
第４に、上記したスピーカー装置においては、前記脚部に貫通孔が形成されることが望ましい。
【００１６】
これにより、脚部の重量が小さくなる。
【００１７】
第５に、上記したスピーカー装置においては、前記貫通孔の開口縁が曲線状又は直線状に形成されることが望ましい。
【００１８】
これにより、開口縁に応力集中が生じ難い。
【００１９】
第６に、上記したスピーカー装置においては、前記貫通孔が前記最狭部より前記内側環状部側に形成されることが望ましい。
【００２０】
これにより、貫通孔が脚部における幅の広い部分に位置される。
【００２１】
第７に、上記したスピーカー装置においては、前記貫通孔が前記最狭部を挟んで前記外側環状部側と前記内側環状部側にそれぞれ形成されることが望ましい。
【００２２】
これにより、貫通孔が何れも脚部における幅の広い部分に位置される。
【００２３】
第８に、上記したスピーカー装置においては、前記脚部は前記最狭部から前記外側環状部に近付くに従って漸次幅が大きくなる形状に形成されることが望ましい。
【００２４】
これにより、幅狭部における外側環状部側の端部の幅が広くなる。
【００２５】
第９に、上記したスピーカー装置においては、前記脚部は前記最狭部から前記内側環状部に近付くに従って漸次幅が大きくなる形状に形成されることが望ましい。
【００２６】
これにより、幅狭部における内側環状部側の端部の幅が広くなる。
【００２７】
第１０に、上記したスピーカー装置においては、前記フレームをスピーカー筐体にネジ止めによって取り付けるためのネジ挿通孔が前記外側環状部に形成され、前記ネジ挿通孔と前記脚部が前記フレームの周方向における同じ位置に形成されることが望ましい。
【００２８】
これにより、脚部がスピーカー筐体に固定される部分の近傍に位置される。
【００２９】
第１１に、上記したスピーカー装置においては、前記フレームをスピーカー筐体にネジ止めによって取り付けるための複数のネジ挿通孔が前記外側環状部の周方向における離隔した位置に形成され、前記複数のネジ挿通孔と前記複数の脚部とがそれぞれ前記フレームの周方向における同じ位置に形成されることが望ましい。
【００３０】
これにより、複数の脚部がスピーカー筐体に固定される部分の近傍にそれぞれ位置される。
【００３１】
第１２に、上記したスピーカー装置においては、前記脚部がそれぞれ前記幅狭部を有する第１の部分と第２の部分から成り、前記第１の部分の前記幅狭部と前記第２の部分の前記幅狭部とが前記フレームの周方向において離隔して設けられることが望ましい。
【００３２】
これにより、幅狭部を有する第１の部分と幅狭部を有する第２の部分とによって外側環状部と内側環状部が連結される。
【００３３】
第１３に、上記したスピーカー装置においては、前記第１の部分と前記第２の部分の間に通孔が形成されることが望ましい。
【００３４】
これにより、脚部の重量が小さくなる。
【００３５】
第１４に、上記したスピーカー装置においては、前記通孔の開口縁が曲線状又は直線状に形成されることが望ましい。
【００３６】
これにより、開口縁に応力集中が生じ難い。
【００３７】
第１５に、上記したスピーカー装置においては、前記第１の部分の少なくとも一部と前記第２の部分の少なくとも一部とが周方向において連続して設けられることが望ましい。
【００３８】
これにより、脚部の強度の低下が抑制される。
【００３９】
本技術に係るスピーカー装置のフレームは、音声の出力時に振動される振動板のエッジが取り付けられる外側環状部と、マグネットとヨークを有する磁気回路が取り付けられる内側環状部と、前記外側環状部と前記内側環状部を連結する少なくとも一つの脚部とを備え、前記脚部は、前記外側環状部に連続された外側端部と、前記内側環状部に連続された内側端部と、前記外側端部と前記内側端部の間に位置され前記外側端部と前記内側端部より幅が小さくされた幅狭部とを有し、前記幅狭部には前記外側端部と前記内側端部の中間部分に最も幅が小さくされた最狭部が設けられ、前記最狭部が前記外側環状部と前記内側環状部の中央より前記外側環状部側に位置され、前記幅狭部における前記最狭部を含む幅方向における両側縁が曲線状又は直線状に形成されたものである。
【００４０】
これにより、両側縁が曲線状又は直線状に形成され外側環状部側に位置された最狭部を有する脚部によって外側環状部と内側環状部が連結される。
【発明の効果】
【００４１】
本技術によれば、両側縁が曲線状又は直線状に形成され外側環状部側に位置された最狭部を有する脚部によって外側環状部と内側環状部が連結されるため、フレームの全体の剛性が高くなりフレーム全体でバランスよく荷重が分散され、スピーカー装置の安定な動作状態を確保することができる。
【００４２】
尚、本明細書に記載された効果はあくまでも例示であって限定されるものではなく、他の効果があってもよい。
【図面の簡単な説明】
【００４３】
【図１】図２乃至図５と共に本技術スピーカー装置及びスピーカー装置のフレームの第１の実施の形態を示すものであり、本図は、スピーカー装置の拡大断面図である。
【図２】フレームの斜視図である。
【図３】図２とは異なる方向から見た状態で示すフレームの斜視図である。
【図４】フレームの側面図である。
【図５】フレームの正面図である。
【図６】図７乃至図１０と共に本技術スピーカー装置及びスピーカー装置のフレームの第２の実施の形態を示すものであり、本図は、スピーカー装置の拡大断面図である。
【図７】フレームの斜視図である。
【図８】図７とは異なる方向から見た状態で示すフレームの斜視図である。
【図９】フレームの側面図である。
【図１０】フレームの正面図である。
【図１１】第１の測定結果を示す図表等である。
【図１２】第２の測定結果を示すグラフ図である。
【図１３】第３の測定結果を示すグラフ図である。
【発明を実施するための形態】
【００４４】
以下に、本技術スピーカー装置及びスピーカー装置のフレームを実施するための形態を添付図面に従って説明する。
【００４５】
以下の説明においては、スピーカー装置が向く方向を前方として上下前後左右の方向を示す。
【００４６】
尚、以下に示す上下前後左右の方向は、説明の便宜上示すものであり、本技術はこれらの方向に限定して適用されることはない。
【００４７】
＜第１の実施の形態に係るスピーカー装置＞
先ず、第１の実施の形態に係るスピーカー装置１について説明する（図１乃至図５参照）。
【００４８】
スピーカー装置１はフレーム２とフレーム２に取り付けられた各部とを有する（図１参照）。
【００４９】
フレーム２は金属材料等の剛性の高い材料により、例えば、プレス加工によって形成されている。尚、フレーム２はプレス加工以外の他の加工、例えば、ダイキャスト加工等によって形成されていてもよい。
【００５０】
フレーム２は、図２乃至図５に示すように、最も前側に位置された外側環状部３と外側環状部３の後方に離隔して位置された内側環状部４と周方向において等間隔に離隔して位置された脚部５、５、・・・とから成る。
【００５１】
外側環状部３は内側環状部４側に位置された前側円環部６と前側円環部６の前縁から外側に張り出されたフランジ状の被取付部７とから成る。被取付部７は図示しないスピーカー筐体に取り付けられる部分であり、被取付部７には周方向において等間隔に離隔してネジ挿通孔７ａ、７ａ、・・・が形成されている。
【００５２】
内側環状部４は前側円環部６より径が小さくされた後側円環部８と後側円環部８の前縁から外側に張り出されたフランジ状の連結部９と後側円環部８の後縁から内側に張り出されたフランジ状の取付面部１０とから成る。後側円環部８には孔８ａ、８ａ、・・・が周方向において等間隔に離隔して形成されている。取付面部１０にはネジ用孔１０ａ、１０ａ、・・・が周方向において等間隔に離隔して形成されている。
【００５３】
脚部５、５、・・・は外側環状部３と内側環状部４の間に位置され、外側環状部３と内側環状部４を連結する機能を有している。脚部５、５、・・・は後方へ行くに従ってスピーカー装置１の中心軸Ｓ（図２及び図３参照）に近付くように傾斜されている。
【００５４】
脚部５、５、・・・は、上記したように、周方向において等間隔に離隔して位置されており、脚部５、５、・・・間に形成された各空間はそれぞれ開孔５ａ、５ａ、・・・として形成されている（図２乃至図５参照）。開孔５ａは、前側開口縁が外側環状部３における前側円環部６の後縁に略一致され、後側開口縁が内側環状部４における連結部９の前縁の近傍に位置されている。
【００５５】
脚部５は周方向において一部が連続された第１の部分１１と第２の部分１２によって構成され、第１の部分１１と第２の部分１２は線対称の形状に形成されている。
【００５６】
第１の部分１１と第２の部分１２の間の空間は通孔１３として形成されている。通孔１３は開口縁１３ａが曲線状又は直線状に形成されている。
【００５７】
第１の部分１１は他の部分より幅（周方向における長さ）が小さくされた幅狭部１４と幅狭部１４の前側に連続された外側端部１５と幅狭部１４の後側に連続された内側端部１６とから成る。
【００５８】
幅狭部１４は前後方向において外側環状部３と内側環状部４の中央より外側環状部３側に位置され、幅方向における両側の側縁１４ａ、１４ａがそれぞれ凹状の曲線状に形成されている（図３の拡大図参照）。尚、側縁１４ａは直線状に形成されていてもよく、また、曲線状の部分と直線状の部分とが連続されて形成されていてもよい。
【００５９】
幅狭部１４は外側端部１５と内側端部１６の中間部分、即ち、外側端部１５との境界部分以外でかつ内側端部１６との境界部分以外の位置が最も幅が小さくされた最狭部１４ｂとして設けられている。従って、幅狭部１４は最狭部１４ｂから前後に離隔するに従って漸次幅が大きくなる形状に形成されている。
【００６０】
このように脚部５の第１の部分１１は最狭部１４ｂから外側環状部３に近付くに従って漸次幅が大きくなる形状に形成されているため、幅狭部１４における外側環状部３側の端部の幅が広くなり、脚部５の強度が高まりフレーム２の剛性の向上を図ることができる。
【００６１】
また、脚部５の第１の部分１１は最狭部１４ｂから内側環状部４に近付くに従っても漸次幅が大きくなる形状に形成されているため、幅狭部１４における内側環状部４側の端部の幅も広くなり、脚部５の強度が高まりフレーム２の一層の剛性の向上を図ることができる。
【００６２】
外側端部１５は前後方向において幅狭部１４から離隔するに従って幅が大きくなる形状に形成されている（図２乃至図５参照）。外側端部１５の両側の側縁１５ａ、１５ａはそれぞれ幅狭部１４の側縁１４ａ、１４ａに連続された曲線状に形成されている。尚、側縁１５ａは直線状に形成されていてもよく、また、曲線状の部分と直線状の部分とが連続されて形成されていてもよい。
【００６３】
内側端部１６は前後方向において幅狭部１４から離隔するに従って幅が大きくなる形状に形成されている。内側端部１６の両側の側縁１６ａ、１６ａはそれぞれ幅狭部１４の側縁１４ａ、１４ａに連続された直線状に形成されている。尚、側縁１６ａは曲線状に形成されていてもよく、また、曲線状の部分と直線状の部分とが連続されて形成されていてもよい。
【００６４】
内側端部１６には貫通孔１７が形成されている。貫通孔１７は開口縁１７ａが曲線状に形成されている。尚、開口縁１７ａは曲線状の部分と直線状の部分とが連続されて形成されていてもよい。
【００６５】
第２の部分１２は他の部分より幅が小さくされた幅狭部１８と幅狭部１８の前側に連続された外側端部１９と幅狭部１８の後側に連続された内側端部２０とから成る。
【００６６】
幅狭部１８は前後方向において外側環状部３と内側環状部４の中央より外側環状部３側に位置され、幅方向における両側の側縁１８ａ、１８ａがそれぞれ凹状の曲線状に形成されている（図３の拡大図参照）。尚、側縁１８ａは直線状に形成されていてもよく、また、曲線状の部分と直線状の部分とが連続されて形成されていてもよい。
【００６７】
幅狭部１８は外側端部１９と内側端部２０の中間部分、即ち、外側端部１９との境界部分以外でかつ内側端部２０との境界部分以外の位置が最も幅が小さくされた最狭部１８ｂとして設けられている。従って、幅狭部１８は最狭部１８ｂから前後に離隔するに従って漸次幅が大きくなる形状に形成されている。
【００６８】
このように脚部５の第２の部分１２は最狭部１８ｂから外側環状部３に近付くに従って漸次幅が大きくなる形状に形成されているため、幅狭部１８における外側環状部３側の端部の幅が広くなり、脚部５の強度が高まりフレーム２の剛性の向上を図ることができる。
【００６９】
また、脚部５の第２の部分１２は最狭部１８ｂから内側環状部４に近付くに従っても漸次幅が大きくなる形状に形成されているため、幅狭部１８における内側環状部４側の端部の幅も広くなり、脚部５の強度が高まりフレーム２の一層の剛性の向上を図ることができる。
【００７０】
外側端部１９は前後方向において幅狭部１８から離隔するに従って幅が大きくなる形状に形成されている（図２乃至図４参照）。外側端部１９の両側の側縁１９ａ、１９ａはそれぞれ幅狭部１８の側縁１８ａ、１８ａに連続された曲線状に形成されている。尚、側縁１９ａは直線状に形成されていてもよく、また、曲線状の部分と直線状の部分とが連続されて形成されていてもよい。
【００７１】
内側端部２０は前後方向において幅狭部１８から離隔するに従って幅が大きくなる形状に形成されている。内側端部２０の両側の側縁２０ａ、２０ａはそれぞれ幅狭部１８の側縁１８ａ、１８ａに連続された直線状に形成されている。尚、側縁２０ａは曲線状に形成されていてもよく、また、曲線状の部分と直線状の部分とが連続されて形成されていてもよい。
【００７２】
内側端部２０には貫通孔２１が形成されている。貫通孔２１は開口縁２１ａが曲線状に形成されている。尚、開口縁２１ａは曲線状の部分と直線状の部分とが連続されて形成されていてもよい。
【００７３】
第１の部分１１における内側端部１６の後端部と第２の部分１２における内側端部２０の後端部とは周方向において連続して設けられている。
【００７４】
このように脚部５は内側端部１６の後端部と内側端部２０の後端部とが周方向において連続して設けられているため、脚部５の強度の低下が抑制され、フレーム２の剛性の向上を図ることができる。
【００７５】
尚、脚部５は外側端部１５の少なくとも一部と外側端部１９の少なくとも一部とが周方向において連続して設けられていてもよい。
【００７６】
脚部５、５、・・・は第１の部分１１、１１、・・・又は第２の部分１２、１２、・・・が外側環状部３に形成されたネジ挿通孔７ａ、７ａ、・・・と周方向における同じ位置に形成されている。即ち、脚部５は第１の部分１１又は第２の部分１２がネジ挿通孔７ａの真後ろに位置されている。
【００７７】
このように第１の部分１１又は第２の部分１２がネジ挿通孔７ａの真後ろに位置されることにより、脚部５の少なくとも一部がネジ部材によってスピーカー筐体に固定される部分の近傍に位置されるため、脚部５の強度が高くなり、フレーム２の剛性の一層の向上を図ることができる。
【００７８】
上記したように、フレーム２は脚部５、５、・・・が周方向において複数離隔して設けられているため、周方向における複数の位置で外側環状部３と内側環状部４が脚部５、５、・・・によって連結され、フレーム２の剛性を一層高くすることができる。
【００７９】
また、脚部５、５、・・・が周方向において等間隔の位置に設けられているため、周方向における等間隔の位置で外側環状部３と内側環状部４が脚部５、５、・・・によって連結され、周方向において良好なバランスでフレーム２の剛性を高くすることができる。
【００８０】
さらに、脚部５に貫通孔１７、２１が形成されているため、脚部５の重量が小さくなり、フレーム２の軽量化を図ることができると共に空気が貫通孔１７、２１を介してフレーム２の内外で対流され音質の向上を図ることができる。
【００８１】
さらにまた、貫通孔１７、２１の開口縁１７ａ、２１ａが曲線状又は直線状に形成されているため、開口縁１７ａ、２１ａに応力集中が生じ難く、フレーム２の一層の剛性の向上を図ることができる。
【００８２】
また、貫通孔１７、２１がそれぞれ最狭部１４ｂ、１８ｂより内側環状部４側に形成されているため、貫通孔１７、２１が脚部５における幅の広い部分に位置され、剛性の大きな低下を来すことなくフレーム２の軽量化及び音質の向上を図ることができる。
【００８３】
尚、上記には、貫通孔１７、２１がそれぞれ最狭部１４ｂ、１８ｂより内側環状部４側に形成されている例を示したが、貫通孔１７、２１は最狭部１４ｂ、１８ｂを挟んで外側環状部３側と内側環状部４側の双方にそれぞれ形成されていてもよい。
【００８４】
貫通孔１７、２１が最狭部１４ｂ、１８ｂを挟んで外側環状部３側と内側環状部４側の双方にそれぞれ形成されることにより、貫通孔１７、１７、２１、２１が何れも脚部５における幅の広い部分に位置され剛性の大きな低下を来すことなくフレーム２の軽量化及び音質の向上を図ることができる。
【００８５】
さらに、脚部５が幅狭部１４を有する第１の部分１１と幅狭部１８を有する第２の部分１２とから成り、幅狭部１４と幅狭部１８がフレーム２の周方向において離隔して設けられている。従って、幅狭部１４を有する第１の部分１１と幅狭部１８を有する第２の部分１２とが存在することにより脚部５の剛性が高くなり、フレーム２の剛性をより一層高くすることができる。
【００８６】
さらにまた、脚部５には第１の部分１１と第２の部分１２の間に通孔１３が形成されているため、脚部５の重量が小さくなりフレーム２の軽量化を図ることができると共に空気が通孔１３を介してフレーム２の内外で対流され音質の向上を図ることができる。
【００８７】
加えて、通孔１３は開口縁１３ａが曲線状又は直線状に形成されているため、開口縁１３ａに応力集中が生じ難く、フレーム２の剛性の一層の向上を図ることができる。
【００８８】
内側環状部４の取付面部１０の後面には磁性金属材料によって形成された円環状のプレート２２が取り付けられている（図１参照）。プレート２２は、例えば、ネジ用孔１０ａ、１０ａ、・・・をそれぞれ挿通された取付ネジ１００、１００、・・・によって取付面部１０に取り付けられている。
【００８９】
プレート２２の後面には円環状のマグネット２３が接着等によって取り付けられている。
【００９０】
マグネット２３の後面にはヨーク２４が取り付けられている。ヨーク２４は軸方向が前後方向にされた略円柱状のボビン支持部２４ａとボビン支持部２４ａの後端部から外方に張り出された突出部２４ｂとを有している。ヨーク２４は突出部２４ｂの前面が接着等によってマグネット２３の後面に取り付けられている。
【００９１】
ヨーク２４におけるボビン支持部２４ｂの一部はプレート２２の中心孔２２ａに挿通され、ボビン支持部２４ｂの外周面とプレート２２の内周面との間の空間が磁気ギャップとされる。
【００９２】
ヨーク２４のボビン支持部２４ａには円筒状のコイルボビン２５が前後方向（軸方向）へ変動可能（移動可能）に支持されている。
【００９３】
コイルボビン２５の外周面にはコイル２６が巻き付けられている。コイル２６は両側の端部が、巻き付けられた部分から導出され、それぞれ開孔５ａ、５ａを挿通され外側環状部３における被取付部７の外周部に取り付けられた図示しないターミナルに接続されている。ターミナルは図示しないアンプとの接続が行われる端子部として設けられている。
【００９４】
コイルボビン２５に巻き付けられたコイル２６は一部が磁気ギャップに位置されている。
【００９５】
コイル２６の一部が磁気ギャップに位置されることにより、プレート２２とマグネット２３とヨーク２４とコイル２６によって磁気回路が構成される。
【００９６】
コイルボビン２５にはダンパー２７が取り付けられている。ダンパー２７はコイルボビン２５の軸方向における過度の変動を抑制する機能を有し、内周部がコイルボビン２５におけるコイル２６より前側の部分に取り付けられ、外周部が内側環状部４の連結部９に取り付けられている。
【００９７】
フレーム２における取付面部１０の内周部には振動板２８のエッジ２８ａが取り付けられている。振動板２８の内周部はコイルボビン２５の前端部に取り付けられている。振動板２８は磁気回路の駆動によるコイルボビン２５の変動に伴って振動される。
【００９８】
振動板２８の内周部にはキャップ２９がコイルボビン２５の前側の開口を覆う状態で取り付けられている。
【００９９】
上記のように構成されたスピーカー装置１において、コイル２６に駆動電流が供給されると、磁気回路において推力が発生してコイルボビン２５が前後方向（軸方向）へ変動され、コイルボビン２５の駆動力が振動板２８に伝達されてコイルボビン２５の変動に伴って振動板２８が振動する。振動板２８が振動するとアンプによって増幅された音声の出力が行われる。
【０１００】
＜第２の実施の形態に係るスピーカー装置＞
次に、第２の実施の形態に係るスピーカー装置５１について説明する（図６乃至図１０参照）。
【０１０１】
尚、スピーカー装置５１は上記した第１の実施の形態に係るスピーカー装置１と比較して、フレームの構成のみが相違するため、スピーカー装置５１に関する以下の説明にあっては、主にフレームの構成のみを詳細に説明する。
【０１０２】
スピーカー装置５１はフレーム５２とフレーム５２に取り付けられた各部とを有する（図６参照）。
【０１０３】
フレーム５２は金属材料等の剛性の高い材料により、例えば、プレス加工によって形成されている。尚、フレーム５２はプレス加工以外の他の加工、例えば、ダイキャスト加工等によって形成されていてもよい。
【０１０４】
フレーム５２は、図７乃至図１０に示すように、最も前側に位置された外側環状部５３と外側環状部５３の後方に離隔して位置された内側環状部５４と周方向において等間隔に離隔して位置された脚部５５、５５、・・・とから成る。
【０１０５】
外側環状部５３は内側環状部５４側に位置された前側円環部５６と前側円環部５６の前縁から外側に張り出されたフランジ状の被取付部５７とから成る。被取付部５７は図示しないスピーカー筐体に取り付けられる部分であり、被取付部５７には周方向において等間隔に離隔してネジ挿通孔５７ａ、５７ａ、・・・が形成されている。
【０１０６】
内側環状部５４は前側円環部５６より径が小さくされた後側円環部５８と後側円環部５８の前縁から外側に張り出されたフランジ状の連結部５９と後側円環部５８の後縁から内側に張り出されたフランジ状の取付面部６０とから成る。後側円環部５８には孔５８ａ、５８ａ、・・・が周方向において等間隔に離隔して形成されている。取付面部６０にはネジ用孔６０ａ、６０ａ、・・・が周方向において等間隔に離隔して形成されている。
【０１０７】
脚部５５、５５、・・・は外側環状部５３と内側環状部５４の間に位置され、外側環状部５３と内側環状部５４を連結する機能を有している。脚部５５、５５、・・・は後方へ行くに従ってスピーカー装置５１の中心軸Ｓ（図７及び図８参照）に近付くように傾斜されている。
【０１０８】
脚部５５、５５、・・・は、上記したように、周方向において等間隔に離隔して位置されており、脚部５５、５５、・・・間に形成された各空間はそれぞれ開孔５５ａ、５５ａ、・・・として形成されている（図７乃至図１０参照）。開孔５５ａは、前側開口縁が外側環状部５３における前側円環部５６の後縁に略一致され、後側開口縁が内側環状部５４における連結部５９の前縁の近傍に位置されている。
【０１０９】
脚部５５は他の部分より幅（周方向における長さ）が小さくされた幅狭部６１と幅狭部６１の前側に連続された外側端部６２と幅狭部６１の後側に連続された内側端部６３とから成る。
【０１１０】
幅狭部６１は前後方向において外側環状部５３と内側環状部５４の中央より外側環状部５３側に位置され、幅方向における両側の側縁６１ａ、６１ａがそれぞれ凹状の曲線状に形成されている（図８の拡大図参照）。尚、側縁６１ａは直線状に形成されていてもよく、また、曲線状の部分と直線状の部分とが連続されて形成されていてもよい。
【０１１１】
幅狭部６１は外側端部６２と内側端部６３の中間部分、即ち、外側端部６２との境界部分以外でかつ内側端部６３との境界部分以外の位置が最も幅が小さくされた最狭部６１ｂとして設けられている。従って、幅狭部６１は最狭部６１ｂから前後に離隔するに従って漸次幅が大きくなる形状に形成されている。
【０１１２】
このように脚部５５は最狭部６１ｂから外側環状部５３に近付くに従って漸次幅が大きくなる形状に形成されているため、幅狭部６１における外側環状部５３側の端部の幅が広くなり、脚部５５の強度が高まりフレーム５２の剛性の向上を図ることができる。
【０１１３】
また、脚部５５は最狭部６１ｂから内側環状部５４に近付くに従っても漸次幅が大きくなる形状に形成されているため、幅狭部６１における内側環状部５４側の端部の幅も広くなり、脚部５５の強度が高まりフレーム５２の一層の剛性の向上を図ることができる。
【０１１４】
外側端部６２は前後方向において幅狭部６１から離隔するに従って幅が大きくなる形状に形成されている（図７乃至図１０参照）。外側端部６２の両側の側縁６２ａ、６２ａはそれぞれ幅狭部６１の側縁６１ａ、６１ａに連続された曲線状に形成されている。尚、側縁６２ａは直線状に形成されていてもよく、また、曲線状の部分と直線状の部分とが連続されて形成されていてもよい。
【０１１５】
内側端部６３は前後方向において幅狭部６１から離隔するに従って幅が大きくなる形状に形成されている。内側端部６３の両側の側縁６３ａ、６３ａはそれぞれ幅狭部６１の側縁６１ａ、６１ａに連続された直線状に形成されている。尚、側縁６３ａは曲線状に形成されていてもよく、また、曲線状の部分と直線状の部分とが連続されて形成されていてもよい。
【０１１６】
内側端部６３には貫通孔６４が形成されている。貫通孔６４は開口縁６４ａが曲線状に形成されている。尚、開口縁６４ａは曲線状の部分と直線状の部分とが連続されて形成されていてもよい。
【０１１７】
脚部５５、５５、・・・は外側環状部５３に形成されたネジ挿通孔５７ａ、５７ａ、・・・と周方向における同じ位置に形成されている。即ち、脚部５５はネジ挿通孔５７ａの真後ろに位置されている。
【０１１８】
このように脚部５５がネジ挿通孔５７ａの真後ろに位置されることにより、脚部５５がネジ部材によってスピーカー筐体に固定される部分の近傍に位置されるため、脚部５５の強度が高くなり、フレーム５２の剛性の一層の向上を図ることができる。
【０１１９】
上記したように、フレーム５２は脚部５５、５５、・・・が周方向において複数離隔して設けられているため、周方向における複数の位置で外側環状部５３と内側環状部５４が脚部５５、５５、・・・によって連結され、フレーム５２の剛性を一層高くすることができる。
【０１２０】
また、脚部５５、５５、・・・が周方向において等間隔の位置に設けられているため、周方向における等間隔の位置で外側環状部５３と内側環状部５４が脚部５５、５５、・・・によって連結され、周方向において良好なバランスでフレーム５２の剛性を高くすることができる。
【０１２１】
さらに、脚部５５に貫通孔６４が形成されているため、脚部５５の重量が小さくなり、フレーム５２の軽量化を図ることができると共に空気が貫通孔６４を介してフレーム５２の内外で対流され音質の向上を図ることができる。
【０１２２】
さらにまた、貫通孔６４の開口縁６４ａが曲線状又は直線状に形成されているため、開口縁６４ａに応力集中が生じ難く、フレーム５２の一層の剛性の向上を図ることができる。
【０１２３】
また、貫通孔６４がそれぞれ最狭部６１ｂより内側環状部５４側に形成されているため、貫通孔６４が脚部５５における幅の広い部分に位置され、剛性の大きな低下を来すことなくフレーム５２の軽量化及び音質の向上を図ることができる。
【０１２４】
尚、上記には、貫通孔６４が最狭部６１ｂより内側環状部６４側に形成されている例を示したが、貫通孔６４は最狭部６１ｂを挟んで外側環状部６３側と内側環状部６４側の双方にそれぞれ形成されていてもよい。
【０１２５】
貫通孔６４、６４が最狭部６１ｂを挟んで外側環状部６３側と内側環状部６４側の双方にそれぞれ形成されることにより、貫通孔６４、６４が何れも脚部５５における幅の広い部分に位置され剛性の大きな低下を来すことなくフレーム５２の軽量化及び音質の向上を図ることができる。
【０１２６】
内側環状部５４の取付面部６０の後面には磁性金属材料によって形成された円環状のプレート２２が取り付けられている（図６参照）。コイルボビン２５に巻き付けられたコイル２６は両側の端部が巻き付けられた部分から導出され、それぞれ開孔５５ａ、５５ａを挿通され外側環状部５３における被取付部５７の外周部に取り付けられた図示しないターミナルに接続されている。ダンパー２７は外周部が内側環状部５４の連結部５９に取り付けられている。フレーム５２における取付面部６０の内周部には振動板２８のエッジ２８ａが取り付けられている。
【０１２７】
上記のように構成されたスピーカー装置５１において、コイル２６に駆動電流が供給されると、磁気回路において推力が発生してコイルボビン２５が前後方向（軸方向）へ変動され、コイルボビン２５の駆動力が振動板２８に伝達されてコイルボビン２５の変動に伴って振動板２８が振動する。振動板２８が振動するとアンプによって増幅された音声の出力が行われる。
【０１２８】
＜スピーカー装置の剛性に関する測定結果＞
以下に、スピーカー装置１、５１の剛性に関する測定結果について説明する（図１１乃至図１３参照）。
【０１２９】
先ず、第１の測定についての測定結果について説明する（図１１参照）。
【０１３０】
第１の測定は、従来のフレームとフレーム２とフレーム５２に対して３方向にそれぞれ５００Ｎ（ニュートン）の荷重を付与したときの変位状態についての測定である。測定は従来のフレームとフレーム２とフレーム５２についてそれぞれ五つずつのサンプルに対して行った。
【０１３１】
従来のスピーカー装置は、図１１に示すように、幅が略一定の四つの脚部を有する構成にされている。荷重を付与した３方向は、第１の方向が軸方向Ａであり、第２の方向が水平方向Ｂであり、第３の方向が鉛直方向Ｃである。
【０１３２】
第１の測定においては、フレームの前端部（外側環状部）を固定した状態で後端部（内側環状部）に荷重を付与し、各フレームの変位量を測定し、１ｍｍ変位させるときに必要な荷重を荷重／変位（Ｎ／ｍｍ）として算出した。表中の「改善率」は従来のフレームを基準とした値であり、従来のフレームを１とし、改善率の値が高いほどフレームの剛性が高いことになる。
【０１３３】
第１の測定の結果において示すように、フレーム２とフレーム５２について、３方向の何れの方向においても１．１０以上の高い改善率が得られた。従って、フレーム２とフレーム５２の高い剛性が確保されていることが確認された。
【０１３４】
次に、第２の測定についての測定結果について説明する（図１２参照）。
【０１３５】
第２の測定は、従来のフレームを有するスピーカー装置とフレーム２を有するスピーカー装置１とフレーム５２を有するスピーカー装置５１に関する周波数特性の測定であり、レーザードップラーにより測定を行った。
【０１３６】
図１２において、横軸は周波数（Ｈｚ）を示し、縦軸は速度（ｍ／ｓ）を示す。速度は軸方向における速度である。
【０１３７】
図１２に示すように、スピーカー装置１、５１にあっては、従来のスピーカー装置に比し、共振周波数における速度が大きく低下され、共振周波数も高域にシフトされている。
【０１３８】
第２の測定の結果において示すように、スピーカー装置１、５１は共振周波数における速度が大きく低下され共振周波数も高域にシフトされており、フレーム２とフレーム５２の高い剛性が確保されていることが確認された。
【０１３９】
次に、第３の測定についての測定結果について説明する（図１３参照）。
【０１４０】
第３の測定は、従来のフレームを有するスピーカー装置とフレーム２を有するスピーカー装置１とフレーム５２を有するスピーカー装置５１に関する周波数特性の測定である。
【０１４１】
図１３において、横軸は周波数（Ｈｚ）を示し、縦軸は音圧（ｄｂ）を示す。
【０１４２】
図１３に示すように、従来のスピーカー装置にあっては、特定の周波数帯域Ａにおいて音圧の歪みが生じているが、スピーカー装置１、５１にあっては、全帯域において音圧の歪みが発生しておらず、特性を示すカーブがなだらかなデータとされている。
【０１４３】
第３の測定の結果において示すように、スピーカー装置１、５１についての音圧の歪みが生じず、全帯域において良好な音声の出力状態が確保されていることが確認された。
【０１４４】
＜まとめ＞
以上に記載した通り、スピーカー装置１及びスピーカー装置１において用いられるフレーム２にあっては、両側の側縁１４ａ、１４ａが曲線状又は直線状に形成され外側環状部３と内側環状部４の中央より外側環状部３側に位置された脚部５によって外側環状部３と内側環状部４が連結される。
【０１４５】
従って、フレーム２の全体の剛性が高くなりフレーム２の全体でバランスよく荷重が分散され、磁気回路の保持状態が安定し、スピーカー装置１の安定な動作状態を確保することができる。
【０１４６】
また、スピーカー装置５１及びスピーカー装置５１において用いられるフレーム５２にあっては、両側の側縁６１ａ、６１ａが曲線状又は直線状に形成され外側環状部５３と内側環状部５４の中央より外側環状部５３側に位置された脚部５５によって外側環状部５３と内側環状部５４が連結される。
【０１４７】
従って、フレーム５２の全体の剛性が高くなりフレーム５２の全体でバランスよく荷重が分散され、磁気回路の保持状態が安定し、スピーカー装置５１の安定な動作状態を確保することができる。
【０１４８】
＜本技術＞
本技術は、以下のような構成にすることができる。
【０１４９】
（１）
音声の出力時に振動される振動板と、
マグネットとヨークを有する磁気回路と、
前記振動板のエッジが取り付けられる外側環状部と前記磁気回路が取り付けられる内側環状部とを有するフレームとを備え、
前記フレームに前記外側環状部と前記内側環状部を連結する少なくとも一つの脚部が設けられ、
前記脚部は、前記外側環状部に連続された外側端部と、前記内側環状部に連続された内側端部と、前記外側端部と前記内側端部の間に位置され前記外側端部と前記内側端部より幅が小さくされた幅狭部とを有し、
前記幅狭部には前記外側端部と前記内側端部の中間部分に最も幅が小さくされた最狭部が設けられ、
前記最狭部が前記外側環状部と前記内側環状部の中央より前記外側環状部側に位置され、
前記幅狭部における前記最狭部を含む幅方向における両側縁が曲線状又は直線状に形成された
スピーカー装置。
【０１５０】
（２）
前記脚部が前記フレームの周方向において複数離隔して設けられた
前記（１）に記載のスピーカー装置。
【０１５１】
（３）
前記脚部が等間隔の位置に設けられた
前記（２）に記載のスピーカー装置。
【０１５２】
（４）
前記脚部に貫通孔が形成された
前記（１）から前記（３）の何れかに記載のスピーカー装置。
【０１５３】
（５）
前記貫通孔の開口縁が曲線状又は直線状に形成された
前記（４１）に記載のスピーカー装置。
【０１５４】
（６）
前記貫通孔が前記最狭部より前記内側環状部側に形成された
前記（４）又は前記（５）に記載のスピーカー装置。
【０１５５】
（７）
前記貫通孔が前記最狭部を挟んで前記外側環状部側と前記内側環状部側にそれぞれ形成された
前記（４）又は前記（５）に記載のスピーカー装置。
【０１５６】
（８）
前記脚部は前記最狭部から前記外側環状部に近付くに従って漸次幅が大きくなる形状に形成された
前記（１）から前記（７）の何れかに記載のスピーカー装置。
【０１５７】
（９）
前記脚部は前記最狭部から前記内側環状部に近付くに従って漸次幅が大きくなる形状に形成された
前記（１）から前記（９）の何れかに記載のスピーカー装置。
【０１５８】
（１０）
前記フレームをスピーカー筐体にネジ止めによって取り付けるためのネジ挿通孔が前記外側環状部に形成され、
前記ネジ挿通孔と前記脚部が前記フレームの周方向における同じ位置に形成された
前記（１）から前記（９）の何れかに記載のスピーカー装置。
【０１５９】
（１１）
前記フレームをスピーカー筐体にネジ止めによって取り付けるための複数のネジ挿通孔が前記外側環状部の周方向における離隔した位置に形成され、
前記複数のネジ挿通孔と前記複数の脚部とがそれぞれ前記フレームの周方向における同じ位置に形成された
前記（２）から前記（９）の何れかに記載のスピーカー装置。
【０１６０】
（１２）
前記脚部がそれぞれ前記幅狭部を有する第１の部分と第２の部分から成り、
前記第１の部分の前記幅狭部と前記第２の部分の前記幅狭部とが前記フレームの周方向において離隔して設けられた
前記（１）から前記（１１）の何れかに記載のスピーカー装置。
【０１６１】
（１３）
前記第１の部分と前記第２の部分の間に通孔が形成された
前記（１２）に記載のスピーカー装置。
【０１６２】
（１４）
前記通孔の開口縁が曲線状又は直線状に形成された
前記（１３）に記載のスピーカー装置。
【０１６３】
（１５）
前記第１の部分の少なくとも一部と前記第２の部分の少なくとも一部とが周方向において連続して設けられた
前記（１２）から前記（１４）の何れかに記載のスピーカー装置。
【０１６４】
（１６）
音声の出力時に振動される振動板のエッジが取り付けられる外側環状部と、
マグネットとヨークを有する磁気回路が取り付けられる内側環状部と、
前記外側環状部と前記内側環状部を連結する少なくとも一つの脚部とを備え、
前記脚部は、前記外側環状部に連続された外側端部と、前記内側環状部に連続された内側端部と、前記外側端部と前記内側端部の間に位置され前記外側端部と前記内側端部より幅が小さくされた幅狭部とを有し、
前記幅狭部には前記外側端部と前記内側端部の中間部分に最も幅が小さくされた最狭部が設けられ、
前記最狭部が前記外側環状部と前記内側環状部の中央より前記外側環状部側に位置され、
前記幅狭部における前記最狭部を含む幅方向における両側縁が曲線状又は直線状に形成された
スピーカー装置のフレーム。
【符号の説明】
【０１６５】
１…スピーカー装置、２…フレーム、３…外側環状部、４…内側環状部、５…脚部、７ａ…ネジ挿通孔、１１…第１の部分、１２…第２の部分、１３…通孔、１３ａ…開口縁、１４…幅狭部、１４ａ…側縁、１４ｂ…前記、１５…外側端部、１６…内側端部、１７…貫通孔、１７ａ…開口縁、１８…幅狭部、１８ａ…側縁、１８ｂ…前記、１９…外側端部、２０…内側端部、２１…貫通孔、２１ａ…開口縁、２３…マグネット、２４…ヨーク、２８…振動板、２８ａ…エッジ、５１…スピーカー装置、５２…フレーム、５３…外側環状部、５４…内側環状部、５５…脚部、５７ａ…ネジ挿通孔、６１…幅狭部、６１ａ…側縁、６１ｂ…最狭部、６２…外側端部、６３…内側端部、６４…貫通孔、６４ａ…開口縁
【図１】
2017050702.tif 000003
【図２】
2017050702.tif 000004
【図３】
2017050702.tif 000005
【図４】
2017050702.tif 000006
【図５】
2017050702.tif 000007
【図６】
2017050702.tif 000008
【図７】
2017050702.tif 000009
【図８】
2017050702.tif 000010
【図９】
2017050702.tif 000011
【図１０】
2017050702.tif 000012
【図１１】
2017050702.tif 000013
【図１２】
2017050702.tif 000014
【図１３】
2017050702.tif 000015